(57)【要約】【課題】容器内に空気が侵入するのを防止し、保存時のみならず使用時にも容器内の内容物の酸化を防ぐ容器を提供すること。【解決手段】本発明の容器は、前記容器の壁面に設けられ、伸縮可能な蛇腹構造を有する蛇腹部１０２と、容器内の内容物を吐出可能なノズル１０３と、前記ノズル１０３に設けられ、前記ノズル１０３内を流れる流動物の流動方向を一方向に制限する逆止弁付きコック１０４とを備える。【選択図】図１
2007099357.tif 000002
【特許請求の範囲】
【請求項１】
内容物を収容する密閉容器において、
前記密閉容器の壁面に設けられ、伸縮可能な容積可変部と、
前記内容物を吐出可能なノズルと、
前記ノズルに設けられ、前記ノズル内を流れる流動物の流動方向を一方向に制限する流動方向制限手段と、
を備えることを特徴とする密閉容器。
【請求項２】
前記ノズルまたは前記流動方向制限手段と連結し、前記密閉容器内に垂下するチューブをさらに備え、前記蛇腹部が収縮したときに前記チューブの先端が前記密閉容器の底部のうち最も低い部分に位置することを特徴とする請求項１記載の密閉容器。
【発明の詳細な説明】
【技術分野】
【０００１】
本発明は、容器内の調味料、飲料、薬品等の内容物の酸化を防ぐための容器に関する。
【背景技術】
【０００２】
従来、調味料、飲料または薬品等の液状物の保存に用いられている容器は、ペットボトル、紙パックまたは缶等がある。また、使用するのに便利なように、シャンプー等は特許文献１のようなディスペンサー付き容器が用いられている。これらの容器は、未開封時は真空・窒素充填等により酸化防止措置が取られているが、開封後はその効力を失ってしまう。また、内容物を消費すると、その分容器内部の空間が増大し、その空間内の酸素により内容物が酸化してしまうという問題があった。そこで、特許文献２には内容物の残量に応じて容器内部の空間を縮小させ、酸化による劣化等を防止する容器が開示されている。
【特許文献１】特開２００３−１２００８号公報
【特許文献２】特開平８−５８７５７号公報
【発明の開示】
【発明が解決しようとする課題】
【０００３】
しかしながら、上記のような容器でも使用の度に蓋を開閉するため、内容物が空気に触れてしまい酸化してしまうという問題があった。すなわち、従来と同様に内容物である調味料等の味や香りは落ち、品質が劣化してしまっていた。また、通常のディスペンサー付き容器は、使い勝手は良いが吐出の際に内部に空気を取り込むため、酸化を防止することができず、酸化を防止するためには、複雑なメカニズムや高価な装置が必要となるという問題があった。
【０００４】
本発明の目的は、かかる問題を鑑みてなされたもので、保存時のみならず使用時にも内容物の酸化を防ぐための容器を提供することにある。
【課題を解決するための手段】
【０００５】
本発明は、内容物を収容する密閉容器において、前記密閉容器の壁面に設けられ、伸縮可能な容積可変部と、前記内容物を吐出可能なノズルと、前記ノズルに設けられ、前記ノズル内を流れる流動物の流動方向を一方向に制限する流動方向制限手段とを備えることを特徴とする密閉容器である。
【０００６】
また、前記ノズルまたは前記流動方向制限手段と連結し、前記密閉容器内に垂下するチューブをさらに備え、前記蛇腹部が収縮したときに前記チューブの先端が前記密閉容器の底部のうち最も低い部分に位置するようにしても良い。
【発明の効果】
【０００７】
本発明によれば、保存時のみならず使用時も密閉されることにより、容器内の内容物が酸化するのを防ぐことができる。
【発明を実施するための最良の形態】
【０００８】
以下、図面を参照しながら、本発明の実施の形態を説明する。
図１、本発明の実施形態に係る容器の伸長時の断面図、図２は、本発明の実施形態に係る容器の収縮時の断面図、図３（ａ）、（ｂ）、（ｃ）は、逆止弁付きコックの吐出状態のときの断面図であり、それぞれ正断面図、側断面図、内容物が流れ、弁が開いてるときの図、（ｄ）、（ｅ）は、逆止弁付きコックのロック状態のときの断面図であり、それぞれ正断面図、側面図、図４は、図２の状態から容器を引き上げ、空気を取り込んだ状態の容器の断面図である。
【０００９】
図１のように、内容物１００が容器１０１内に密閉され収容されている。容器１０１は側壁部に容積可変部（以下、蛇腹部）１０２を備え、内容物１００の量に応じて伸縮可能である。尚、本実施形態の蛇腹部１０２は、蛇腹構造を有し、さらに自重では収縮しないような反発力を有する。そして、容器１０１にはノズル１０３が取り付けられ、ノズル１０３は逆止弁付きコック１０４の一端と接続し、逆止弁付きコック１０４の他端はチューブ１０５と接続し、チューブ１０５は容器内に垂下している。尚、本実施形態において、ノズルとは容器１０１の外壁から延出した部分を言い、この延出した部分のいずれかの位置に逆止弁付きコック１０４を設けることができる。また、逆止弁付きコック１０４は、逆止弁付きコック１０４内を流れる内容物および空気等の流動物の流動方向を設定するつまみ１０６を備える。容器１０１は底部１０７を備え、底部１０７には溝１０８が設けられている。また、容器１０１の上部に、内容物または空気等が出し入れ可能な口部１０９を備え、口部１０９はキャップ１１０により封がされる。さらに、キャップ１１０は、空気穴１１１を有する可動式の空気抜き部１１２を備える。
【００１０】
逆止弁付きコックについて説明すると、コックは通常、つまみを回し、開閉を行うことで、液体、気体等が流れるのを許可したり、止めたりすることができるものであるが、コックを開けた時に、液体、気体等の流れる方向については制限されていない。そこで、コック内に逆止弁を設け、コックを開けた時に液体、気体等の流れる方向を制限できるようにしたものが逆止弁付きコックである。
【００１１】
内容物１００を吐出するときは、つまみ１０６を回し、図３（ａ）、（ｂ）のように弁３０１が吐出方向に開くことができるようにする（吐出状態）。
そして、容器を上から押し下げることにより、容器内に垂下したチューブ１０５を介して、逆止弁付きコック１０４の中を通り（このとき図３（ｃ）のように、弁３０１は吐出方向に開く）、容器上部に取り付けられたノズル１０３より内容物１００が吐出され、それに応じて蛇腹部１０２が収縮し、図２のように容器１０１が縮小した状態になる。これにより、容器１０１内に空気が入らず、内容物１００の酸化を防ぐことができる。このとき、蛇腹部１０２の反発により容器１０１が伸長しても、また容器１０１を引き上げても、弁３０１は吸入方向には開かないので空気が容器内に入ることはない。
【００１２】
また、図３（ａ）の状態からツマミ１０６を９０度回し、図３（ｄ）（ｅ）のように逆止弁付きコック１０４の中を内容物および空気等の流動物が通らないようにすると（ロック状態）、容器１０１を引き上げても容器内に空気は入らず、また、不用意に容器に触れたり、倒したりしても内容物が噴出することはない。
【００１３】
図２のように蛇腹部が最も折りたたまれた状態でも、容器内部に内容物１００が残ってしまうため、最後まで無駄なく使うために、図４のように容器１０１を引き上げ、容器内に空気を取り込み、再び押し下げることにより、空気圧により残りの内容物１００を吐出する。このとき、容器内に空気を取り込むときは、逆止弁付きコック１０４のつまみ１０６を図３（ａ）の状態から、１８０度回した状態、すなわち弁３０１が吸入方向に開くことができるようにする（吸入状態）。そして、再び吐出するときは、逆止弁付きコック１０４を吐出状態にする。
【００１４】
尚、容器１０１の底部１０７はすり鉢状に中央が下がっており、さらに溝１０８を設けることにより、内容物１００が集まりやすくなっている。そして、容器が収縮したときに、低部１０７の最低部分（または溝１０８）にチューブ１０５の先端がくるようにすることで、最後まで内容物１００を使い切ることができる。
【００１５】
容器１０１に内容物を充填する場合、蛇腹部が折りたたまれ、容器１０１が縮小した状態から、ノズル１０３の先端を充填する内容物に浸し、逆止弁付きコック１０４を吸入状態にし、容器１０１を引き上げることで、容器内に内容物を吸入し、内容物を充填することができる。
【００１６】
または、キャップ１１０を外し、口部１０９から内容物を充填することもできる。このとき、ノズル１０３から内容物１００が噴出しないように、逆止弁付きコック１０４をロック状態にするのが望ましい。
しかし、上記のように内容物を充填した場合、充填時に空気を吸い込んでしまう可能性が高い。そこで、空気抜き部１１２を備えたキャップ１１０を利用し、容器内の空気抜きを行う。
【００１７】
図５(ａ)（ｂ）は、キャップの詳細図、図６は、空気抜き時の容器の断面図である。
キャップ１１０は、空気穴１１１を有する可動式の空気抜き部１１２を備えており、図５（ａ）のように空気抜き部１１２を倒した状態では、通常のキャップと同様に内容物１００を封じているが、図５（ｂ）のように空気抜き部１１２を立てることにより、空気穴１１１を介し、外部と容器内部が連通する。
【００１８】
内容物１００の充填後、容器内に空気が入ってしまった場合、図６のように、空気抜き部１１２を立て、外部と容器内部を連通する。そして、逆止弁つきロック１０４をロック状態にし、容器を押し下げると、蛇腹部１０２が折りたたまれ、容器１０１が縮むことにより、容器内の空気が空気穴１１１を介して、外部に排出される。そして、容器内の空気が無くなったら、空気抜き部１１２を再び倒し、内容物１００を密閉する。これにより、容器内の空気を無くし、内容物１００の酸化を防ぐことができる。なお、空気抜き時に、逆止弁つきロック１０４をロック状態にすることで、内容物１００がノズル１０３から吐出するのを防いでいる。
【００１９】
尚、本実施形態に係る密閉容器の口部１０９とキャップ１１０の接合部分は、パッキン等により、容器内に空気が入らないようになっており、密閉構造が担保されている。また、ノズル１０３と逆止弁付きコック１０４の連結部分や逆止弁付きコック１０４とつまみ１０６の接触部分も同様にパッキン等により、密閉構造が担保されている。
【００２０】
以上より、本実施形態によれば、保存時のみならず使用時も密閉されることにより、容器内の内容物が酸化するのを防ぐことができる。
また、本実施形態にはさらに、簡単な構成で密閉容器を実現できる、容器の廃棄時に小さくできる、容器と内容物を分けて販売することにより、廃棄物の量を削減できる、冷蔵庫などで保管する場合に、内容物の量と容器の大きさが比例して小さくなるので、スペースを有効に使え、冷却効率が上がるという効果もある。
【００２１】
尚、本発明は以上に述べた実施形態に限られず、本発明の要旨を逸脱しない範囲内で、蛇腹部やノズルなどの位置、大きさおよび構造等を種々変更可能である。
【図面の簡単な説明】
【００２２】
【図１】本発明の実施形態に係る容器の伸長時の断面図である。
【図２】本発明の実施形態に係る容器の収縮時の断面図である。
【図３】逆止弁付きコックの各状態の断面図である。
【図４】空気を取り込んだ状態の容器の断面図である。
【図５】キャップの詳細図である。
【図６】空気抜き時の容器の断面図である。
【符号の説明】
【００２３】
１００  内容物
１０１  容器
１０２  蛇腹部
１０３  ノズル
１０４  逆止弁付きコック
１０５  チューブ
１０６  つまみ
１０７  底部
１０８  溝
１０９  口部
１１０  キャップ
１１１  空気穴
１１２  空気抜き部
３０１  弁
【図１】
2007099357.tif 000003
【図２】
2007099357.tif 000004
【図４】
2007099357.tif 000005
【図６】
2007099357.tif 000006
【図３】
2007099357.tif 000007
【図５】
2007099357.tif 000008